(57)【要約】【課題】本発明の課題は、屈折率整合剤中を伝搬する光の拡散を抑えて、光損失が上昇するのを抑制する光ファイバ接続装置を提供することにある。【解決手段】本発明は、一方の光ファイバ２２と他方の光ファイバ２３が端面間に間隙を開けて突合されるように対向して配置される光ファイバ配置装置２１と、前記光ファイバ２２，２３の端面間の間隙に設けられるフレネル反射を防ぐための屈折率整合剤２４とを備えた光ファイバ接続装置であって、前記屈折率整合剤２４を温度制御する温度制御装置２５を設けたことを特徴とするものである。【選択図】図１
2008309893.tif 000002
【特許請求の範囲】
【請求項１】
一方の光ファイバと他方の光ファイバが端面間に間隙を開けて突合されるように対向して配置される光ファイバ配置装置と、前記光ファイバの端面間の間隙に設けられるフレネル反射を防ぐための屈折率整合剤とを備えた光ファイバ接続装置であって、
前記屈折率整合剤を温度制御する温度制御装置を設けたことを特徴とする光ファイバ接続装置。
【請求項２】
一方の光ファイバと他方の光ファイバが端面間に間隙を開けて突合されるように対向して配置される光ファイバ配置装置と、前記光ファイバの端面間の間隙に設けられるフレネル反射を防ぐための屈折率整合剤とを備えた光ファイバ接続装置であって、
前記屈折率整合剤を攪拌する攪拌装置を設けたことを特徴とする光ファイバ接続装置。
【請求項３】
一方の光ファイバと他方の光ファイバが端面間に間隙を開けて突合されるように対向して配置される光ファイバ配置装置と、前記光ファイバの端面間の間隙に設けられるフレネル反射を防ぐための屈折率整合剤とを備えた光ファイバ接続装置であって、
前記屈折率整合剤の屈折率の温度係数が正であることを特徴とする光ファイバ接続装置。
【請求項４】
一方の光ファイバの端面が配置されると共に、他方の複数の光ファイバの端面が配置される光ファイバ配置装置と、前記一方の光ファイバを移動して前記他方の一つの光ファイバの配置位置に切り替えることにより、前記一方の光ファイバと前記他方の一つの光ファイバが端面間に間隙を開けて突合されるように対向して調芯する移動調芯駆動部と、前記光ファイバの端面間の間隙に設けられるフレネル反射を防ぐための屈折率整合剤とを備えた光ファイバ接続装置であって、
前記屈折率整合剤を温度制御する温度制御装置を設けたことを特徴とする光ファイバ接続装置。
【請求項５】
一方の光ファイバの端面が配置されると共に、他方の複数の光ファイバの端面が配置される光ファイバ配置装置と、前記一方の光ファイバを移動して前記他方の一つの光ファイバの配置位置に切り替えることにより、前記一方の光ファイバと前記他方の一つの光ファイバが端面間に間隙を開けて突合されるように対向して調芯する移動調芯駆動部と、前記光ファイバの端面間の間隙に設けられるフレネル反射を防ぐための屈折率整合剤とを備えた光ファイバ接続装置であって、
前記屈折率整合剤を攪拌する攪拌装置を設けたことを特徴とする光ファイバ接続装置。
【請求項６】
一方の光ファイバの端面が配置されると共に、他方の複数の光ファイバの端面が配置される光ファイバ配置装置と、前記一方の光ファイバを移動して前記他方の一つの光ファイバの配置位置に切り替えることにより、前記一方の光ファイバと前記他方の一つの光ファイバが端面間に間隙を開けて突合されるように対向して調芯する移動調芯駆動部と、前記光ファイバの端面間の間隙に設けられるフレネル反射を防ぐための屈折率整合剤とを備えた光ファイバ接続装置であって、
前記屈折率整合剤の屈折率の温度係数が正であることを特徴とする光ファイバ接続装置。
【発明の詳細な説明】
【技術分野】
【０００１】
本発明は、光ファイバ同士をフレネル反射を防ぐための屈折率整合剤を介在して光接続する光ファイバ接続装置に関する。
【背景技術】
【０００２】
従来、光ファイバ通信線路、または光線路監視を行う光試験線路を構成する光ファイバ同士を接続する接続機構として、光ファイバ突合せ接続が用いられる。
【０００３】
この光ファイバ突合せ接続ではフレネル反射防止および光損失を抑制するためにマッチングオイルと呼ばれる屈折率整合剤を用いている。
【０００４】
しかしながら、ここ数年の光伝送システムにおいて、通信光あるいは分布ラマンシステムで用いる励起光の光パワーが１Ｗ級の大きなパワーになっている（以下、ハイパワー光という）。このようなハイパワー光を、光ファイバを突合せて接続する機構をもち、かつ屈折率整合剤を封入する光ファイバ接続部に入力すると光損失が上昇する現象が現れる（例えば、非特許文献１参照。）。
【０００５】
この現象は以下のように説明できる。光ファイバ突合せ部へのハイパワー光入力時において、屈折率整合剤の温度上昇が発生する。その温度上昇はコア中心部が最も高く、径方向に徐々に低くなっている。その結果、径方向に屈折率整合剤が温度勾配を持つ。ここでその係数をδｎ／δＴとし、ファイバコア中心から径方向ｒへの屈折率ｎ（ｒ）を式で表すと
【０００６】
ｎ（ｒ）＝ｎ０＋［δｎ／δＴ］×［Ｔ（ｒ）−Ｔ（０）］        （１）
である。ここで、ｎ（ｒ）は半径ｒにおける屈折率、ｎ０はコア中心部（ｒ＝０）における屈折率、Ｔ（ｒ）は半径ｒにおける温度、Ｔ（０）はコア中心部（ｒ＝０）における温度をそれぞれ表す。
【０００７】
屈折率整合剤として用いる材料としてはシリコーンオイルなどがあるが、その係数δｎ／δＴは負である（例えば、非特許文献２参照。）。これは、熱による大幅な温度上昇を考慮した材料選定を行っていないためである。よって、屈折率整合剤中の屈折率は中心部から半径ｒが大きくなるにつれ、分布的に大きくなる。したがって、屈折率整合剤中を伝搬する光は、光ファイバの伝搬とは逆に光が拡散される効果を持つことになるため、光損失が上昇する。
【０００８】
図９は従来の光ファイバ接続を示す構成説明図である。図９において、一方の光ファイバ１１と他方の光ファイバ１２が端面間に間隙１３を開けて突合されるように対向して配置される。前記光ファイバ１１，１２の端面間の間隙１３にはフレネル反射を防ぐための屈折率整合剤１４が設けられる。
【０００９】
図１０は一般的な単一モード光ファイバの屈折率プロファイルを示す説明図である。図１０において、縦軸は屈折率ｎであり、横軸は半径ｒで、ｒ＝０は光ファイバ１１，１２のコアの中心部である。図１０に示すように、光ファイバ１１，１２のコアの屈折率ｎ１をクラッドの屈折率ｎ２よりある程度大きくすることで、全反射の繰り返しにより光が光ファイバ１１，１２中を導波する。
【００１０】
図１１は従来のハイパワー光入力時の屈折率整合剤の屈折率プロファイルと温度分布を示す特性図である。図１１において、縦軸は屈折率ｎであり、横軸は半径ｒで、ｒ＝０は光ファイバ１１，１２のコアの中心部である。図１１に示すように、屈折率整合剤１４で充填された光ファイバ１１，１２の突合せ部に、ハイパワー光が入力されて屈折率整合剤１４中に分布的な温度上昇が生じた場合、その屈折率プロファイルはコア中心部ｒ＝０が最も低く、徐々に半径ｒ方向に大きくなるようになる。このときのコア中心部ｒ＝０における屈折率をｎ（０）、半径ｒにおける屈折率をｎ（ｒ）と記述すると、
Ｔ（０）＞Ｔ（ｒ）
ｎ（０）＜ｎ（ｒ）
が成り立つ。このときの温度分布は図１１の点線１５で示され、屈折率分布は図１１の実線１６で示されるようになる。
【００１１】
この場合、屈折率整合剤１４中で光を閉じ込めて導波することができなくなり、導波されている光が拡がり、放射され損失となる。
【００１２】
【非特許文献１】I.Ogushi,H.Izumita，K.Tanaka，F.Ito and M.Arii,”Observation of ignition induced by a high power light input at a butt-joint splice with refractive index matching material ,“OFC/NFOEC,OFK6(2006).
【非特許文献２】M.Kihara,S.Nagasawa and T.Tanifuji,”Return loss characteristics of optical fiber connectors,”J.Lightwave Technol.,Vol.14,No.9,p.1986-1991,September 1996.
【発明の開示】
【発明が解決しようとする課題】
【００１３】
本発明は上記の事情に鑑みてなされたもので、屈折率整合剤中を伝搬する光の拡散を抑えて、光損失が上昇するのを抑制する光ファイバ接続装置を提供することを目的とする。
【課題を解決するための手段】
【００１４】
上記目的を達成するために本発明は、一方の光ファイバと他方の光ファイバが端面間に間隙を開けて突合されるように対向して配置される光ファイバ配置装置と、前記光ファイバの端面間の間隙に設けられるフレネル反射を防ぐための屈折率整合剤とを備えた光ファイバ接続装置であって、前記屈折率整合剤を温度制御する温度制御装置を設けたことを特徴とするものである。
【００１５】
また本発明は、一方の光ファイバと他方の光ファイバが端面間に間隙を開けて突合されるように対向して配置される光ファイバ配置装置と、前記光ファイバの端面間の間隙に設けられるフレネル反射を防ぐための屈折率整合剤とを備えた光ファイバ接続装置であって、前記屈折率整合剤を攪拌する攪拌装置を設けたことを特徴とするものである。
【００１６】
また本発明は、一方の光ファイバと他方の光ファイバが端面間に間隙を開けて突合されるように対向して配置される光ファイバ配置装置と、前記光ファイバの端面間の間隙に設けられるフレネル反射を防ぐための屈折率整合剤とを備えた光ファイバ接続装置であって、前記屈折率整合剤の屈折率の温度係数が正であることを特徴とするものである。
【００１７】
また本発明は、一方の光ファイバの端面が配置されると共に、他方の複数の光ファイバの端面が配置される光ファイバ配置装置と、前記一方の光ファイバを移動して前記他方の一つの光ファイバの配置位置に切り替えることにより、前記一方の光ファイバと前記他方の一つの光ファイバが端面間に間隙を開けて突合されるように対向して調芯する移動調芯駆動部と、前記光ファイバの端面間の間隙に設けられるフレネル反射を防ぐための屈折率整合剤とを備えた光ファイバ接続装置であって、前記屈折率整合剤を温度制御する温度制御装置を設けたことを特徴とするものである。
【００１８】
また本発明は、一方の光ファイバの端面が配置されると共に、他方の複数の光ファイバの端面が配置される光ファイバ配置装置と、前記一方の光ファイバを移動して前記他方の一つの光ファイバの配置位置に切り替えることにより、前記一方の光ファイバと前記他方の一つの光ファイバが端面間に間隙を開けて突合されるように対向して調芯する移動調芯駆動部と、前記光ファイバの端面間の間隙に設けられるフレネル反射を防ぐための屈折率整合剤とを備えた光ファイバ接続装置であって、前記屈折率整合剤を攪拌する攪拌装置を設けたことを特徴とするものである。
【００１９】
また本発明は、一方の光ファイバの端面が配置されると共に、他方の複数の光ファイバの端面が配置される光ファイバ配置装置と、前記一方の光ファイバを移動して前記他方の一つの光ファイバの配置位置に切り替えることにより、前記一方の光ファイバと前記他方の一つの光ファイバが端面間に間隙を開けて突合されるように対向して調芯する移動調芯駆動部と、前記光ファイバの端面間の間隙に設けられるフレネル反射を防ぐための屈折率整合剤とを備えた光ファイバ接続装置であって、前記屈折率整合剤の屈折率の温度係数が正であることを特徴とするものである。
【発明の効果】
【００２０】
本発明の光ファイバ接続装置は、屈折率整合剤中を伝搬する光の拡散を抑えて、光損失が上昇するのを抑制することにより、通信光あるいは励起光の光パワーが１Ｗ級の比較的大きなパワーを扱う光ファイバ通信線路における光接続や、ファイバ突合せ接続機構をもつ光ファイバセレクタ等に対応できるハイパワー光の入力に対応できる。
【発明を実施するための最良の形態】
【００２１】
以下図面を参照して本発明の実施の形態を詳細に説明する。
図１は本発明の第１の実施形態に係る光ファイバ接続装置を示す構成説明図である。図１に示すように、中空部を有する筐体よりなる光ファイバ配置装置２１には一方の光ファイバ２２が先端面を中空部に挿入して設けられると共に、他方の光ファイバ２３が先端面を中空部に挿入して設けられる。前記一方の光ファイバ２２と他方の光ファイバ２３は端面間に間隙を開けて突合されるように対向して配置される。前記一方の光ファイバ２２と他方の光ファイバ２３との端面間の間隙は数μ〜１００μである。光ファイバ配置装置２１の中空部にはフレネル反射を防ぐための屈折率整合剤２４が充填され、前記光ファイバ２２，２３の端面間の間隙にはフレネル反射を防ぐための屈折率整合剤２４が設けられる。前記光ファイバ２２，２３の端面間間隙近傍の光ファイバ配置装置２１には中空部に充填された屈折率整合剤２４を外部から温度制御する温度制御装置２５が設けられる。
【００２２】
尚、前記温度制御装置２５としては、例えばヒータまたはペルチェ素子等を用いることができる。
【００２３】
また、屈折率整合剤としては、シリカケトン等のシリコーン樹脂の側鎖の一部をフェニル基とメチル基で置き換えた化合物を用いることが有効であり、その中でもフェニル基とメチル基の配合比を４８：５２（側鎖基の％）とすることで特に好適な化合物（屈折率１．４６でゴム弾性）が得られる。前記屈折率整合剤は、光ファイバの端面接合時に使用する光ファイバコアとほぼ同じ屈折率を有し、かつ低損失で光を透過するゲル状または、液体の屈折率整合剤であり、光通信用として使用できる。
【００２４】
すなわち、温度制御装置２５により屈折率整合剤２４の温度制御を実施することにより、光ファイバ２２，２３の突合せ部に充填された屈折率整合剤２４にハイパワー光が入力された場合に、屈折率整合剤２４中に生じる分布的な温度上昇を抑えて温度勾配を緩和させることができる。
【００２５】
図２は本発明の第１の実施形態で温度制御を行った場合と行わない場合における屈折率整合剤の温度分布を示す特性図である。図２において、縦軸は温度、横軸は半径ｒで、３１は温度制御を行わない場合の温度分布、３２は温度制御を行った場合の温度分布である。
【００２６】
すなわち、屈折率整合剤２４中へのハイパワー光入力によって、屈折率整合剤２４中に生じる分布的な温度上昇が発生するが、屈折率整合剤２４の温度制御を行わない場合における温度変化をΔＴとすると
ΔＴ＝Ｔ（０）−Ｔ（ｒ）
である。ここで、Ｔ（ｒ）は半径ｒにおける温度、Ｔ（０）は中心部（ｒ＝０）における温度をそれぞれ表す。
【００２７】
外部の温度制御装置２５によって屈折率整合剤２４の温度制御を行う場合、その温度変化ΔＴ′は屈折率整合剤２４の温度制御を行わない場合と比べてその変化幅は小さくなる。すなわち、
ΔＴ′＝Ｔ′（０）−Ｔ′（ｒ）      （ΔＴ＞ΔＴ′）
である。ここで、Ｔ′（ｒ）は半径ｒにおける温度、Ｔ′（０）は中心部（ｒ＝０）における温度をそれぞれ表す。
【００２８】
このときの温度制御を行う場合と行わない場合の屈折率整合剤２４の温度分布の変化を矢印で示す。
従って、温度制御を行う場合には屈折率整合剤２４の分布的な温度上昇が緩和される。
【００２９】
図３は本発明の第１の実施形態で温度制御を行った場合と行わない場合における屈折率整合剤の屈折率分布を示す特性図である。図３において、縦軸は屈折率ｎ、横軸は半径ｒで、４１は温度制御を行わない場合の屈折率分布、４２は温度制御を行った場合の屈折率分布である。
【００３０】
すなわち、屈折率変化Δｎ＝ｎ（０）−ｎ（ｒ）、Δｎ′＝ｎ′（０）−ｎ′（ｒ）の変化量において
Δｎ＞Δｎ′
が成り立ち、温度制御を行う場合において光の拡がりを抑える効果があると期待できる。ここで、Δｎは温度制御を行わない場合の屈折率変化、Δｎ′は温度制御を行った場合の屈折率変化、ｎ（０）は温度制御を行わない場合の中心部（ｒ＝０）における屈折率、ｎ′（０）は温度制御を行った場合の中心部（ｒ＝０）における屈折率、ｎ（ｒ）は温度制御を行わない場合の半径ｒにおける屈折率、ｎ′（ｒ）は温度制御を行った場合の半径ｒにおける屈折率を表す。
【００３１】
従って、屈折率整合剤２４の分布的な温度上昇が緩和されるため、屈折率の変化においても同様に緩和される。
【００３２】
図４は本発明の第２の実施形態に係る光ファイバ接続装置を示す構成説明図である。図４に示すように、中空部を有する筐体よりなる光ファイバ配置装置５１には一方の光ファイバ５２が先端面を中空部に挿入して設けられると共に、他方の光ファイバ５３が先端面を中空部に挿入して設けられる。前記一方の光ファイバ５２と他方の光ファイバ５３は端面間に間隙を開けて突合されるように対向して配置される。光ファイバ配置装置５１の中空部にはフレネル反射を防ぐための屈折率整合剤５４が充填され、前記光ファイバ５２，５３の端面間の間隙にはフレネル反射を防ぐための屈折率整合剤５４が設けられる。前記光ファイバ５２，５３の端面間間隙近傍の光ファイバ配置装置５１には中空部に充填された屈折率整合剤５４を攪拌する攪拌装置５５が設けられる。
【００３３】
尚、前記攪拌装置５５としては、例えば屈折率整合剤５４中で回転するファン等を用いることができる。
【００３４】
すなわち、攪拌装置５５により屈折率整合剤５４を攪拌して対流を実施することにより、光ファイバ５２，５３の突合せ部に充填された屈折率整合剤５４にハイパワー光が入力された場合に、屈折率整合剤５４中に生じる分布的な温度上昇を抑えて温度勾配を緩和させることができる。
【００３５】
図５は本発明の第２の実施形態で攪拌を行った場合と行わない場合における屈折率整合剤の温度分布を示す特性図である。図５において、縦軸は温度、横軸は半径ｒで、６１は攪拌による対流を実施しない場合の温度分布、６２は攪拌による対流を実施した場合の温度分布である。
【００３６】
すなわち、屈折率整合剤５４中へのハイパワー光入力によって、屈折率整合剤５４中に生じる分布的な温度上昇が発生するが、屈折率整合剤５４の攪拌による対流を実施しない場合における温度変化をΔＴとすると
ΔＴ＝Ｔ（０）−Ｔ（ｒ）
である。ここで、Ｔ（ｒ）は半径ｒにおける温度、Ｔ（０）は中心部（ｒ＝０）における温度をそれぞれ表す。
【００３７】
攪拌装置５５によって屈折率整合剤５４の攪拌による対流を実施した場合、温度変化を均一に作用する効果が働くので、その温度変化ΔＴ′は屈折率整合剤５４の攪拌による対流を実施しない場合と比べてその変化幅は小さくなる。すなわち、
ΔＴ′＝Ｔ′（０）−Ｔ′（ｒ）      （ΔＴ＞ΔＴ′）
である。ここで、Ｔ′（ｒ）は半径ｒにおける温度、Ｔ′（０）は中心部（ｒ＝０）における温度をそれぞれ表す。
【００３８】
このときの攪拌による対流を実施した場合と攪拌による対流を実施しない場合の屈折率整合剤５４の温度分布の変化を矢印で示す。
従って、攪拌による対流を実施した場合には屈折率整合剤５４の分布的な温度上昇が緩和される。
【００３９】
図６は本発明の第２の実施形態で攪拌を行った場合と行わない場合における屈折率整合剤の屈折率分布を示す特性図である。図６において、縦軸は屈折率ｎ、横軸は半径ｒで、７１は攪拌による対流を実施しない場合の屈折率分布、７２は攪拌による対流を実施した場合の屈折率分布である。
【００４０】
すなわち、屈折率変化Δｎ＝ｎ（０）−ｎ（ｒ）、Δｎ′＝ｎ′（０）−ｎ′（ｒ）の変化量において
Δｎ＞Δｎ′
が成り立ち、屈折率整合剤５４の攪拌による対流を実施した場合において光の拡がりを抑える効果があると期待できる。ここで、Δｎは攪拌による対流を実施しない場合の屈折率変化、Δｎ′は攪拌による対流を実施した場合の屈折率変化、ｎ（０）は攪拌による対流を実施しない場合の中心部（ｒ＝０）における屈折率、ｎ′（０）は攪拌による対流を実施した場合の中心部（ｒ＝０）における屈折率、ｎ（ｒ）は攪拌による対流を実施しない場合の半径ｒにおける屈折率、ｎ′（ｒ）は攪拌による対流を実施した場合の半径ｒにおける屈折率を表す。
【００４１】
従って、屈折率整合剤５４の分布的な温度上昇が緩和されるため、屈折率の変化においても同様に緩和される。
【００４２】
次に、本発明の第３の実施形態に係る光ファイバ接続装置について説明する。すなわち、本発明の第３の実施形態に係る光ファイバ接続装置は、一方の光ファイバと他方の光ファイバが端面間に間隙を開けて突合されるように対向して配置される光ファイバ配置装置と、前記光ファイバの端面間の間隙に設けられるフレネル反射を防ぐための屈折率の温度係数が正である屈折率整合剤とを備えて構成される。
【００４３】
屈折率の温度勾配係数が正となるような屈折率整合剤を用いることにより、ハイパワー光を入射した際に生じる伝搬光の界分布拡がりを生じさせなくできる。
【００４４】
図７は本発明の第３の実施形態でハイパワー光入力時の屈折率整合剤の屈折率プロファイルと温度分布を示す特性図である。図７において、縦軸は温度及び屈折率ｎ、横軸は半径ｒ、ｒ＝０は光ファイバのコアの中心部、８１はハイパワー光入力時の屈折率整合剤の温度分布、８２はハイパワー光入力時の屈折率整合剤の屈折率分布である。
【００４５】
図７に示すように、屈折率の温度勾配係数が正となるような屈折率整合剤で充填された光ファイバの突合せ部に、ハイパワー光が入力されて屈折率整合剤中に分布的な温度上昇が生じた場合、その屈折率プロファイルはコア中心部ｒ＝０が最も大きく、徐々に半径ｒ方向に低くなるようになる。
【００４６】
すなわち、屈折率整合剤の温度勾配係数が正、すなわち式（１）で示したδｎ／δＴが正の場合、径方向に分布的な温度上昇に伴って屈折率変化は図１１で示した屈折率プロファイルと真逆に作用する。このときのコア中心部ｒ＝０における屈折率をｎ（０）、半径ｒにおける屈折率をｎ（ｒ）と記述すると、
Ｔ（０）＞Ｔ（ｒ）
ｎ（ｒ）＜ｎ（０）
が成り立つ。
【００４７】
第３の実施形態の場合、グレーデッドインデックス型ファイバのような導波構造となるため、光の拡がりを抑えられ放射損失を抑えることができる。
【００４８】
図８は本発明の第４の実施形態に係る光ファイバ接続装置を示す構成説明図である。図８に示すように、中空部を有する筐体よりなる光ファイバ配置装置９１には一方の光ファイバ９２が先端面を中空部に挿入して配置され、上下方向に移動自在に設けられると共に、他方の複数の光ファイバ９３が先端面を中空部に挿入して上下方向に略等間隔に配置して設けられる。前記一方の光ファイバ９２は移動調芯駆動部９４に取付けられて上下方向に移動して前記他方の一つの光ファイバ９３の配置位置に切り替えられることにより、前記一方の光ファイバ９２と前記他方の一つの光ファイバ９３が端面間に間隙を開けて突合されるように対向して調芯されるように配置される。光ファイバ配置装置２１の中空部にはフレネル反射を防ぐための屈折率整合剤９５が充填され、前記光ファイバ９２，９３の端面間の間隙にはフレネル反射を防ぐための屈折率整合剤９５が設けられる。前記光ファイバ９２，９３の端面間間隙近傍の光ファイバ配置装置９１には中空部に充填された屈折率整合剤９５を外部から温度制御する温度制御装置９６が設けられると共に、中空部に充填された屈折率整合剤９５を攪拌する攪拌装置９７が設けられる。
【００４９】
尚、光ファイバ配置装置９１には温度制御装置９６または攪拌装置９７のどちらか一方のみを設けるようにしてもよい。
【００５０】
本発明の第４の実施形態に係る光ファイバ接続装置は一方の光ファイバ９２を移動して調芯する移動調芯駆動部９４と光ファイバ経路を切り替える他方のスイッチ用光フィアバ９３を備えた光スイッチであり、本発明の第１の実施形態及び第２の実施形態で記述された効果を持つので、ハイパワー光の入力時において、光の拡がりによる放射損失を抑える光スイッチを提供できる。
【００５１】
次に、第５の実施形態に係る光ファイバ接続装置について説明する。すなわち、第５の実施形態に係る光ファイバ接続装置は一方の光ファイバの端面が配置されると共に、他方の複数の光ファイバの端面が配置される光ファイバ配置装置と、前記一方の光ファイバを移動して前記他方の一つの光ファイバの配置位置に切り替えることにより、前記一方の光ファイバと前記他方の一つの光ファイバが端面間に間隙を開けて突合されるように対向して調芯する移動調芯駆動部と、前記光ファイバの端面間の間隙に設けられるフレネル反射を防ぐための屈折率の温度係数が正である屈折率整合剤とを備えて構成される。
【００５２】
本発明の第５の実施形態に係る光ファイバ接続装置は一方の光ファイバを移動して調芯する移動調芯駆動部と光ファイバ経路を切り替える他方のスイッチ用光フィアバを備えた光スイッチであり、本発明の第３の実施形態で記述された効果を持つので、ハイパワー光の入力時において、光の拡がりによる放射損失を抑える光スイッチを提供できる。
【００５３】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５４】
【図１】本発明の第１の実施形態に係る光ファイバ接続装置を示す構成説明図である。
【図２】本発明の第１の実施形態で温度制御を行った場合と行わない場合における屈折率整合剤の温度分布を示す特性図である。
【図３】本発明の第１の実施形態で温度制御を行った場合と行わない場合における屈折率整合剤の屈折率分布を示す特性図である。
【図４】本発明の第２の実施形態に係る光ファイバ接続装置を示す構成説明図である。
【図５】本発明の第２の実施形態で攪拌を行った場合と行わない場合における屈折率整合剤の温度分布を示す特性図である。
【図６】本発明の第２の実施形態で攪拌を行った場合と行わない場合における屈折率整合剤の屈折率分布を示す特性図である。
【図７】本発明の第３の実施形態でハイパワー光入力時の屈折率整合剤の屈折率プロファイルと温度分布を示す特性図である。
【図８】本発明の第４の実施形態に係る光ファイバ接続装置を示す構成説明図である。
【図９】従来の光ファイバ接続を示す構成説明図である。
【図１０】一般的な単一モード光ファイバの屈折率プロファイルを示す説明図である。
【図１１】従来のハイパワー光入力時の屈折率整合剤の屈折率プロファイルと温度分布を示す特性図である。
【符号の説明】
【００５５】
２１…光ファイバ配置装置、２２…光ファイバ、２３…光ファイバ、２４…屈折率整合剤、２５…温度制御装置。
【図１】
2008309893.tif 000003
【図２】
2008309893.tif 000004
【図３】
2008309893.tif 000005
【図４】
2008309893.tif 000006
【図５】
2008309893.tif 000007
【図６】
2008309893.tif 000008
【図７】
2008309893.tif 000009
【図８】
2008309893.tif 000010
【図９】
2008309893.tif 000011
【図１０】
2008309893.tif 000012
【図１１】
2008309893.tif 000013